(57)【特許請求の範囲】
【請求項１】
前面に開口部を有するショーケース本体の内部に商品陳列部を有し、下部ダクト、背面ダクト、上部ダクトからの冷気を商品陳列部の開口上方から開口下方に向けて冷気のエアカーテンを形成し、商品陳列部の開口下方から下部ダクトに冷気を循環させるショーケースにおいて、
該ショーケースの側板に、ショーケース外部の空気を床パネル下部スペースに吸い込むための吸気口と吸気ファンとを設けたことを特徴とするショーケース。
【請求項２】
前記吸気ファンは、前記吸気口の内部側に設けられ、該吸気口の外部側にフィルターを備えた通気グリルが設けられていることを特徴とする請求項１記載のショーケース。
【請求項３】
前記ショーケースの下部外板に、前記床パネル下部スペース内の空気をショーケースの外部に吐出するための吹出口が設けられていることを特徴とする請求項１又は２記載のショーケース。
【請求項４】
請求項１乃至３のいずれか１項記載のショーケースで、かつ、同一形状のショーケースを隣接させて配置する際に、一端に位置するショーケースの側板には前記吸気口と前記吸気ファンとを設け、他のショーケースの側板には前記吸気ファンを設けずに前記吸気口のみを設けるとともに、該吸気口に隣接する側板には、前記吸気口に対応する通気口を設けることを特徴とするショーケース。
【発明の詳細な説明】
【技術分野】
【０００１】
本発明は、スーパーマーケット（ＳＭ）やコンビニエンスストア（ＣＳ）で多種類の商品を陳列して販売するために用いられる奥行き幅が薄く、前高の低い多段式のショーケースに関する。
【背景技術】
【０００２】
都心立地のＳＭやＣＳでは、限られた店舗スペースの中で多くの種類の商品を陳列して販売するため、奥行幅が薄く、前高が低い多段式のショーケースを使用する割合が高い。  このように奥行幅が薄く、前高が低い多段式ショーケースは、通常の多段式ショーケース、すなわち、奥行幅が厚く、前高が高いタイプの多段式ショーケースに比べて庫内の冷気が庫外に漏れやすい構造となっている。このため、漏れた冷気によってショーケースの近傍にコールドアイルが発生することがあり、また、ショーケース自体においても、床パネル外面等が冷やされ、この部分に空気の流れがほとんどない場合には結露が発生し、ひどい場合にはショーケース周りが水浸しになってしまうことがあり、買物客が足を滑らせるおそれもある。さらに、下部外板付近に設置してある電装部品が水に濡れて動作不良を起こすおそれもある。
【０００３】
このため、リーチインショーケースのベース部の基台レール上に庫内照明用蛍光灯の安定器を設置し、安定器の発熱によって結露の発生を防止することが行われている（例えば、特許文献１参照）。
【先行技術文献】
【特許文献】
【０００４】
【特許文献１】特開２００６−１４９１７号公報
【発明の概要】
【発明が解決しようとする課題】
【０００５】
しかし、ショーケースのベース部に蛍光灯の安定器を設置した場合、床掃除する際に誤って水をかけてしまい、安定器を故障させてしまうおそれがある。さらに、前高が低いショーケースでは安定器の設置スペースが狭くなるため、ベース部に熱がこもりやすく、高温状態になって安定器に悪影響を与えるおそれがある。
【０００６】
一方、コールドアイル対策としては、ショーケースの天井部にある暖かい空気をショーケース下部に送り込むことが行われているが、この場合は、ショーケースの背面と壁面との間にある程度の空間を設けることが必要であり、スペースに余裕のない店舗では十分な空間を設けることができず、コールドアイル対策として十分な効果を得ることができなかった。
【０００７】
そこで本発明は、奥行き幅が薄く、前高の低い多段式のショーケースにおいて、床パネル外面等への結露の発生を防止するだけでなく、コールドアイルの発生も抑制することが可能な構造を備えたショーケースを提供することを目的としている。
【課題を解決するための手段】
【０００８】
上記目的を達成するため、本発明のショーケースは、  前面に開口部を有するショーケース本体の内部に商品陳列部を有し、下部ダクト、背面ダクト、上部ダクトからの冷気を商品陳列部の開口上方から開口下方に向けて冷気のエアカーテンを形成し、商品陳列部の開口下方から下部ダクトに冷気を循環させるショーケースにおいて、該ショーケースの側板に、ショーケース外部の空気を床パネル下部スペースに吸い込むための吸気口と吸気ファンとを設けたことを特徴としている。
【０００９】
また、本発明のショーケースでは、前記吸気ファンを前記吸気口の内部側に設け、該吸気口の外部側にフィルターを備えた通気グリルを設けることが好ましく、さらに、前記ショーケースの下部外板に、前記床パネル下部スペース内の空気をショーケースの外部に吐出するための吹出口を設けることが好ましい。また、同一形状のショーケースを隣接させて配置する際に、一端に位置するショーケースの側板には前記吸気口と前記吸気ファンとを設け、他のショーケースの側板には前記吸気ファンを設けずに前記吸気口のみを設けるとともに、該吸気口に隣接する側板には、前記吸気口に対応する通気口を設けるようにすることもできる。
【発明の効果】
【００１０】
本発明のショーケースによれば、側板に設けた吸気口からファンによって庫外の空気をショーケースの床パネル下部スペース内に吸引して床パネル下部スペースやベース部に空気の流れを発生させるため、床パネルの温度低下を抑制するとともに、床パネル下部外面やベース部壁面等に結露が発生することを防止できる。また、床パネル下部スペース内に吸い込んだ空気をショーケースの下部から吐出させることにより、コールドアイルの発生を緩和することができる。さらに、ファンを側板に設けることにより、前面にファンを設けた場合に比べて 埃がつきにくく、メンテナンスも容易となる。また、複数のショーケースを隣接配置する際には、隣接する側板に吸気口と通気口とを対応させて設けることにより、一端に設けた１台の吸気ファンによって複数のショーケースの床パネル下部スペース内に空気を流通させることができる。
【図面の簡単な説明】
【００１１】
【図１】本発明のショーケースの一形態例を示す側面図である。
【図２】同じくショーケースの断面側面図である。
【図３】同じくショーケースの正面図である。
【図４】要部の断面図である。
【図５】要部の分解斜視図である。
【発明を実施するための形態】
【００１２】
まず、本発明の実施対象となるショーケース１は、主として、奥行き幅が薄く、前高の低い多段式のショーケースであって、前面に開口部を有する床パネル２ａ、背面パネル２ｂ、天井パネル２ｃからなるショーケース本体２の内部に、上下複数段の商品陳列棚３を設けた商品陳列部４が形成されるとともに、ショーケース本体２の背面に背面ダクト５、下部に下部ダクト６，上部に上部ダクト７がそれぞれ形成され、該背面ダクト５、下部ダクト６の部分に図示しない冷却器及び送風機がそれぞれ配置されている。商品陳列部４の開口上方には、上部ダクト５からの冷気を開口前面下方に向けて吹き出してエアーカーテンを形成する冷気吹出口８が設けられ、開口下方には冷気吹出口８から吹き出された冷気を下部ダクト６に吸い込んで循環させるための冷気吸込口９が設けられている。
【００１３】
ショーケース本体２の底部にはベース部１０が設けられており、側板１１の下部前端部分には、空気をショーケース１の床パネル２ａとベース部１０との間の床パネル下部スペース１２に吸い込むための吸気口１３が設けられている。吸気口１３の内部側には吸気ファン１４が設けられ、吸気口１３の外部側にはフィルター１５を備えた通気グリル１６が枠体１６ａに収容して設けられている。また、ショーケース１の下部外板１７には、床パネル下部スペース１２の内外に連通する複数の小通孔からなる吹出口１８が設けられている。
【００１４】
吸気ファン１４によって吸気口１３から床パネル下部スペース１２の内部に吸い込まれた空気は、床パネル下部スペース１２の内部やベース部１０の内部を流れ、その一部が下部外板１７に設けた前記吹出口１８からショーケース１の下部周辺に吐出され、残部はベース部周囲の適宜な隙間などから外部に流出する。
【００１５】
このように、床パネル下部スペース１２の内部に空気の流れを形成することにより、床パネル下部スペース１２の内部やベース部１０の内部に冷気が滞留することがなくなり、ショーケース１の下部壁面や床パネル２ａの下面に結露を生じることがなくなり、ショーケース周りが水浸しになってしまったり、買物客が足を滑らせたりすることがなくなる。さらに、下部外板１７付近に設置してある電装部品が水に濡れて動作不良を起こすこともなくなる。また、下部外板１７に吹出口１８を設けて床パネル下部スペース１２内などから空気を吐出させることにより、ショーケース１の周囲にコールドアイルが発生することもなくなる。
【００１６】
さらに、吸気ファン１４を側板１１の内側に設けることにより、床掃除をする際の水がかかりにくく、吸気ファン１４として防滴構造、防水構造のファンを用いることにより、万一水がかかっても故障することがなくなる。また、吸気ファン１４の外側にフィルター１５を備えた通気グリル１６を設けたことにより、吸気ファン１４が異物を吸い込むことがなくなり、汎用の市販のグリルを用いることでコスト上昇も抑えることができ、フィルター１５の清掃や交換も容易に行うことができる。
【００１７】
吸気ファン１４は、連続運転するようにしてもよいが、冷却運転停止時やナイトカバー装着時の冷気漏れが少なくなる時間帯には吸気ファン１４の運転を停止させて省電力を図るようにしてもよい。また、同一形状のショーケース１を隣接させて配置する際には、一端に位置するショーケース１の側板１１には前記吸気口１３と前記吸気ファン１４とを設け、他のショーケースの側板には前記吸気ファンを設けずに前記吸気口１３のみを設けるとともに、該吸気口１３に隣接する位置にある側板には、前記吸気口１３に対応する通気口を設けることにより、１台の吸気ファン１４で、隣接する通気口と吸気口とを介して複数のショーケースの床パネル下部スペース内に空気を流通させ、隣接配置した複数のショーケースにおいても前記同様の結露防止効果などを得ることができ、設備コストや消費電力の低減を図ることができる。
【符号の説明】
【００１８】
１    ショーケース
２    ショーケース本体
２ａ    床パネル
２ｂ    背面パネル
２ｃ    天井パネル
３    商品陳列棚
４    商品陳列部
５    背面ダクト
６    下部ダクト
７    上部ダクト
８    冷気吹出口
９    冷気吸込口
１０    ベース部
１１    側板
１２    床パネル下部スペース
１３    吸気口
１４    吸気ファン
１５    フィルター
１６    通気グリル
１６ａ    枠体
１７    下部外板
１８    吹出口
【図１】
0005561816.tif 000002
【図２】
0005561816.tif 000003
【図３】
0005561816.tif 000004
【図４】
0005561816.tif 000005
【図５】
0005561816.tif 000006